(57)【特許請求の範囲】
【請求項１】
携帯電話の本体に配設され複数個の切替操作部材を有する操作部と、上記携帯電話の使用者の手に着脱される手袋に取付けられ上記複数個の切替操作部材を個別に接触させて作動させることができ、上記手袋の指部先端部に上記指の付根に向けて開口する馬蹄形状で形成され薄肉部又は硬質部で構成される作動手段を備えたことを特徴とする、切替操作部材の作動構造。
【請求項２】
上記作動手段の硬質部が凸状部で構成されていることを特徴とする、請求項１記載の切替操作部材の作動構造。
【請求項３】
上記指の長手方向の軸線に関して左右いずれか略半分の上記馬蹄形状の部位に形成される上記の薄肉部又は硬質部で構成されていることを特徴とする、請求項1又は２記載の切替操作部材の作動構造。
【請求項４】
上記切替操作部材を作動させる上記作動手段が上記の手又は手袋に着脱可能に上記携帯電話に取付けられていることを特徴する、請求項１〜３のいずれか１項に記載の切替換操作部材の作動構造。
【請求項５】
上記指が親指，人差し指，中指，薬指，小指のうちのいずれかの指であることを特徴とする、請求項１〜４のいずれか１項に記載の切替操作部材の作動構造。
【発明の詳細な説明】
【０００１】
【発明の属する技術分野】
本発明は、携帯電話装置，家庭・オフイス用電話装置の電話装置、エアコン，厨房器，インタ―ホン，パソコン，電卓，テレビ，ビデオ，ビデオカメラ，カメラ，カラオケ用マイクの家電製品、携帯ゲーム機、電動マッサージ機，電動ベッド，電動イスの電動寝具・家具等の機器及び上記機器を遠隔操作するリモコンやキー作動制御盤のうちの少なくともいずれか一方の本体に複数の切替操作部材からなる操作部を設け，上記操作部の操作を容易に行なえるようにした切替操作部材の作動構造及び切替操作部材の操作具並びに切替操作部材の操作具付手袋に関する。
【０００２】
【従来の技術】
従来から、携帯電話装置，家庭・オフイス用電話装置の電話装置、エアコン，厨房器，インタ―ホン，パソコン，電卓，テレビ，ビデオ，ビデオカメラ，カメラ，カラオケ用マイクの家電製品、携帯ゲーム機、電動マッサージ機，電動ベッド，電動イスの電動寝具・家具等の機器及び上記機器を遠隔操作する上記リモコンやキー作動制御盤のうちの少なくともいずれか一方の本体には、上記機器を作動させる入力ための「０〜９，＃，＊」等の切替操作部材である数字キーや、その他種種の機能キー等、複数個のキーを有する操作部が具備されている。
【０００３】
【発明が解決しようとする課題】
しかしながら、冬期や各種製造業，工事現場，アウトドアでの各種の催し等では、防寒や人の手の損傷防止のため、手袋を装着しており、又手の不自由な人は、小型化される携帯電話装置やリモコンの操作がしにくくなっている。
例えば、上記の携帯電話装置について説明すると、省スペース，持ち運び易さの観点から、上記携帯電話装置の小型化が進められており、その小型化にしたがって上記操作部も小型化されている。それに伴って上記操作部に配設された切替操作部材である操作用のキーも小さくなり、その操作が難しくなってきている。又、特に指の太い人，手の不自由な人，手袋を装着した人の場合には、上記キーを思うように押しきれず、又隣接する複数個の上記キーを同時に押してしまい誤操作，作動不良を起こす等、上記キー操作がしにくいことがある。
【０００４】
又、この不具合は、上記操作部に複数個のキーが設けられた携帯電話装置に限らず、押圧力が加えられると、その押圧位置を検出するタッチパネルが設けられているものにおいても同様の不具合があった。
上記不具合は上記の機器及びリモコンの省エネ対策や軽量化のため小型化されており、同様の不具合が生じている。
【０００５】
本発明は、このような課題に鑑み創案されたもので、携帯電話装置，家庭・オフイス用電話装置の電話装置、エアコン，厨房器，インタ―ホン，パソコン，電卓，テレビ，ビデオ，ビデオカメラ，カメラ，カラオケ用マイクの家電製品、携帯ゲーム機、電動マッサージ機，電動ベッド，電動イスの電動寝具・家具等の機器及び上記機器を遠隔操作するリモコンやキー作動制御盤のうちの少なくともいずれか一方の本体に配設され複数個の切替操作部材を有する操作部を設け、使用者の手及び上記手に着脱する手袋のうちの少なくともいずれか一方に取付けられ上記複数個の切替操作部材を個別に作動させる作動手段を設け、上記操作部の操作性を向上させる切替操作部材の作動構造及び切替操作部材の操作具並びに切替操作部材の操作具付手袋を提供することを目的とする。
【０００６】
【課題を解決するための手段】
このため、請求項１記載の本発明の切替操作部材の作動構造は、携帯電話の本体に配設され複数個の切替操作部材を有する操作部と、上記携帯電話の使用者の手に着脱される手袋に取付けられ上記複数個の切替操作部材を個別に接触させて作動させることができ、上記手袋の指部先端部に上記指の付根に向けて開口する馬蹄形状で形成され薄肉部又は硬質部で構成される作動手段を備えたことを特徴としている。
【０００７】
請求項２記載の本発明の切替操作部材の作動構造は、請求項１記載の構成において、上記作動手段の硬質部が凸状部で構成されていることを特徴としている。
請求項３記載の本発明の切替操作部材の作動構造は、請求項１又は２記載の構成において、上記指の長手方向の軸線に関して左右いずれか略半分の上記馬蹄形状の部位に形成される上記の薄肉部又は硬質部で構成されていることを特徴としている。
【０００９】
請求項４記載の本発明の切替操作部材の作動構造は、請求項１〜３のいずれか１項に記載の構成において、上記切替操作部材を作動させる上記作動手段が上記の手又は手袋に着脱可能に上記携帯電話に取付けられていることを特徴としている。
【００１１】
請求項５記載の本発明の切替操作部材の作動構造は、請求項１〜４のいずれか１項に記載の構成において、上記指が親指，人差し指，中指，薬指，小指のうちのいずれかの指であることを特徴としている。
【００１２】
【発明の実施の形態】
以下、本発明の切替操作部材の作動構造を携帯電話装置に適用した場合の一実施形態を図面に基づいて説明する。
図１は上記携帯電話装置の内部構成を示すブロック図の概略説明図、図２は上記携帯電話装置の外観を示す概略説明図、図３は作動具付手袋の外観図であり、（Ａ）は作動具付手袋の手の平側の正面図を示す概略説明図、（Ｂ）は図３（Ａ）の切替操作部材の作動手段を示す拡大明図、（Ｃ）は図３（Ａ）の矢視３Ｃの拡大図を示す概略説明図、図４は図３に示した手袋を装着して携帯電話装置を操作している状態を示す概略説明図、図５は切替操作部材の手袋への取付け状態を示すもので、（Ａ）は、左親指の手の平側の表面を示す概略説明図、（Ｂ）は図５（Ａ）の矢視５Ｂの側面図を示す概略説明図、（Ｃ）は変形例を示す図５（Ａ）と同様の状態を示す概略説明図、図６は切替操作部材の操作具を示すもので、（Ａ）はキャップ状に構成された切替操作部材の操作具の概略説明図、（Ｂ）は図５（Ａ）変形例を示すもので同図と同様の状態を示す概略説明図、（Ｃ）は切替操作部材の作動手段をつめ型に形成した場合を示す概略説明図、（Ｄ）は図６（Ｃ）の切替操作部材の作動手段であるつめ部材の斜視図を示す概略説明である。
【００１３】
図４に示したように、本発明の切替操作部材の作動構造である携帯電話装置２は、使用者が、例えば片手に持って操作でき、且つ携帯に便利なように長矩形状の本体４を有している。上記の本体４の中央部には、図２に示したように多数の切替操作部材であるキー６から構成される操作部８が設けられている。上記のキー６の操作部８には「０〜９，＃，＊」等種種の数字・記号（例えば，呼出し先の電話番号）の入力するための切替操作部材（キー６）、その他の各種の機能を指示するためのキー６が配設されている。
【００１４】
又、上記の操作部８の下方には、図１，図２に示したように通話時に使用者が音声を入力するための音声入力部１０が設けられ、一方、操作部８の上方の部位には、他の電話装置から送信されてきたメッセージ，携帯電話装置２の操作案内，動作状況等を表示するための液晶表示装置から構成される表示部１２が設けられている。更にその上方の部位には通話時に他の電話装置からの送られてくる音声信号を音声として出力するための音声出力部１４が設けられている。この音声出力部１４は、電話回線網の基地局から呼出信号が送信されてきた時に、使用者に知らせるための着信音の発生も行なうように構成されている。
【００１５】
又、この音声出力部１４の、更に上方の本体４の先端部の部位には本体４に出入り可能に構成されたアンテナ１６が設けられている。
又、携帯電話装置２には、図１，図２に示したようにアンテナ１６を介し送受信する信号を変調・復調して基地局との間で無線通信を行なうための送受信部２０、上記各部に接続されて各種制御処理を行なうための制御部２２が設けられている。又制御部２２はマイクロコンピュータとして構成され、ＣＰＵ２２ａ，ＲＯＭ２２ｂ，ＲＡＭ２２ｃ，バックアップＲＡＭ２２ｄを有すると共に，これらを互いに接続するバスラインや外部と接続する構成を有している。
【００１６】
一般的に携帯電話装置２としての機能を実現するための各種の制御処理を有している。即ち、（１）：送受信部２０から基地局に対して、他の電話装置を呼び出すための電話番号を送信させる発呼処理、基地局から呼出信号を受信すると音声出力部１４から着信音を発生させると共に、表示部１２に着信内容などを表示させる着信処理、（２）：着信音の発生に応じて使用者により携帯電話装置２を電話回線網に接続する指令が入力されると送受信部２０を介して上記携帯電話装置２を電話回線網に接続させる接続処理、（３）：発呼処理により呼出先の電話装置が電話回線網に接続されてその着呼側の電話装置との通話が可能になったときや、接続処理により上記携帯電話装置２が電話回線網に接続されて、発呼者側の電話装置との通話が可能になったときに、使用者が音声入力部１４から入力した音声信号を送受信部２０から基地局に送信したり、電話回線網（換言すれば、接続相手である電話装置）から送信されてきた音声信号に基いて、音声出力部１４から音声を発生させたりする音声入出力処理、（４）：携帯電話装置２が基地局に接続された状態にある時に，使用者により携帯電話装置２と基地局との接続を切断する指令が入力されると，その接続を切断する切断処理等を行なうように構成されている。
【００１７】
そして，携帯電話装置２は上記のように構成されているので、使用者が上記の「０〜９，＃，＊」等の数字キーを押して所望の電話番号を入力した後、発信キー２６を押すことにより、所望の相手の電話装置を呼び出すことができる。そして、相手との会話を終えた後に、終了キーを２８を押すことにより、相手の電話装置との接続を断つことができるようになっている。
【００１８】
次に、上記携帯電話装置２を使用者が手袋を装着した状態で上記操作を行なう場合を、図３について説明する。
一方、キー６を操作するために上記手に装着された手袋４０は、図３（Ａ）に示したように手の親指Ｆ１の先端部の手の平側に作動手段３０である金属，樹脂，繊維等で構成された凸状部４２が設けられている。この凸状部４２は基部４２ａと凸部４２ｂとから構成されている。
【００１９】
即ち、図３（Ｂ）に示したように手袋４０に取付けられ内部から基盤４０ｓから突出された雄ねじ部４０ｂが外部に向けて配設された基部４２ａと基部４２ａの雄ねじ部４０ｂに雌ねじ部４０ｃが螺合されて取付けられる円錐形状，円筒錐形状，多角錐形状の、本実施形態では円錐形状の頭部４０ｄを有する凸部４２ｂとから構成されている。
【００２０】
上記実施形態は上記のように構成されているので、例えば毛糸製の肉厚のある手袋の時であっても、使用者が、図４に示したように上記本体４を手に持って親指Ｆ１の先端部の手の平側で操作すると、凸状部４２の頭部４０ｄによりキー６を個別に単独で操作することが極めて容易になり、所望のキー６を確実に押すことができる。
【００２１】
従って、電話番号の入力のミスや送受信切替え，電源の開閉を間違いなく行なうことができる。そして、図３に２点鎖線で示したように，親指Ｆ１の先端部の手の平側が凸状部４２の基部４２ａの基盤部４０ｓに直接又は間接的に当接しながら押圧して上記キー６の操作を行なうので、使用者の手の感触と協働して上記キー６の操作を確実に行なうことができるものである。
【００２２】
又、上記実施形態では、図５に示したように凸状部４２は親指Ｆ１の先端部の中央部５１ａに取付ける場合を示したが、これに限られるのではなく、片手持ちの場合は図４，図５に示したように、例えば左手の親指Ｆ１を使用するとき、親指Ｆ１の手の平側の中央部５１ａよりの爪Ｔ側の親指Ｆ１の内面（手の平側）の先端部の外周縁Ｆｍに沿う部位が最も効果的にキー６を押すことができるので、図５に示したように親指Ｆ１先端部の手の平側の外周縁Ｆｍに沿って下方に凹状の、例えば馬蹄形の凸状部４３を配設すれば効果的な作用効果を奏することができる。又親指Ｆ１先端部の手の平側の中央部５１ａより外周縁Ｆｍに沿う指の上記中央部５１ａの略平面部分より爪Ｔ側に向かって傾斜する略斜面部５１ｂに凸状部４２を設ければ、手の日常時の使用されるような部分に影響が少ないので便利であり邪魔にならず違和感がない。
【００２３】
又、使用者が携帯電話装置を左又は右の手で保持して親指Ｆ１で上記機操作を行なう時は、図４に示したように押圧するキー６の上方部分が少しでも見えた方が操作し易いものである。そして上記凸状部４２は、好ましく、上記のように親指Ｆ１の略斜面部５１ｂに設けることにより効果的に操作をすることができるので、馬蹄形の凸状部４３を配設すればよく、更に左右の親指の先端部を含む人指し指側の略半分の馬蹄形の凸状部４３をを有していればよいものである。しかしながら個人個人においては左利き，右利き等癖があったり、又親指Ｆ１以外の指、即ち人指し指Ｆ２、中指Ｆ３、薬指Ｆ４，小指Ｆ５の場合には、上記馬蹄形の凸状部４３の先端部や上記の凸状部４２の方が効果的な上記操作を行なうことができる。
【００２４】
又、凸状部４２は上記のように螺合結合したがこれに限られるものではなく、接着材で固着したり、手袋製作時の織込み時に固定するように構成してもよい。
又、親指Ｆ１以外の指（人指し指Ｆ２、中指Ｆ３、薬指Ｆ４，小指Ｆ５）に上記凸状部４２，馬蹄形の凸状部４３を設け、上記操作をしても上記同様の作用効果を奏することができる。
【００２５】
又、上記凸状部４２の代えて、上記の作動手段３０は手袋４０の切替操作部材６に対応する上記手袋先端部の指部の部位を薄肉部４５に構成し，指の感触で操作できるようにしてもよく、又上記薄肉部４５に代えて、例えば皮や樹脂材等により硬い部位を上記薄肉部に形成されるようにの硬質部４５Ｋで平面又は曲面形状に形成してもよい。
【００２６】
上記の作動手段３０は上記複数個のうちの切替操作部材（キー）６を個別に作動させることができる凸状部材４２を上記の手又は手袋４０の指部に着脱可能に又は上記手袋４０に、例えば上記の螺合や接着材により固定的に設けられるようにしてもよい。
又、上記の凸状部４２，４３は形状記憶材料で形成してもよい。又、上記切替操作部材６に磁石を設け、上記の手又は手袋側に設けられ上記切替操作部材６の磁石の極性と同じ極性が対向するように上記の手又は手袋側に磁石が配設されるように構成される上記作動手段３０を設ければ、上記両極性が接近すると反発力により切替操作部材６を作動させて、電話番号等を入力することができる。又上記両極性がＮ極とＳ極であっても、上記手袋４０を接近させると切替操作部材６が吸引して切替操作部材（キー）６を作動させて、電話番号などを入力することができるように構成してもよい。
【００２７】
更に、上記磁石が電磁石で構成され、上記電磁石の磁性体である電磁コイルに接続された電池及びＯＮ，ＯＦＦ切替スイッチが上記手袋に設けるように構成した場合には、不使用時は切替スイッチＳＷをＯＦＦにしておけば電磁石に磁気力が発生しないので、通常の手袋として使用することができ違和感がない。上記磁石の切替操作部材６への取付はアルミ材等の防磁体を介在させて配設すれば、磁力の影響を及ぼさないようにすることが必要であり、又弱い磁力の磁性体で構成することもできる。
【００２８】
又、上記磁石は電磁コイルに限られるものではなく、磁石が形成されるものであれば他の磁性体でもよい。
又、上記実施形態では手袋４０に凸状部４２，４３を設けたが、図６に示したように手袋４０とは別体に上記手又は手袋４０に着脱可能なワンタッチで着脱出きる弾性材料製のキャップ，リング部材や面ファスナ（押しつけるだけで簡単に密着する着脱自在の布製、樹脂製の一対の面によるチャック）等の取付手段５７で着脱できる爪部材Ｐで構成される作動手段３０である操作具５５を設け、例えば図２に示したように携帯電話装置やリモコンの本体に鎖や紐５５ａにより操作具５５を係留しておくか、又は上記本体４の近くの場所に配置して，必要に応じて上記の手及び手袋４０に装着出きるようにしてもよい。この場合に任意の手袋に使用することができるので便利である。
【００２９】
図６（Ｃ），（Ｄ）に示したように指の第１関節部，第２関節部，，第３関節部に、本実施形態の場合には、手の甲側の人指し指の第３関節部に、例えば面ファスナ５７等により取付けても、切替操作部材６の作動を行なうことができ、又図６（Ｃ）に２点鎖線で示したように手の甲側に上記と同様に取付けてもよい。この場合には、工事中や製造中に手の平側が濡れていたり、汚れている場合にその状態で手の甲側に操作具５５を取付けて所望の目的を果たすことができるので、その都度、手を洗ってから電話操作をすることがなくなり時間の節約ができ、且つ便利である。
【００３０】
又、手袋が毛糸製の手袋の場合について説明したが、これに限定されるものではなく、綿製，皮製，樹脂製等の手袋に適用しても上記と同様の作用効果を奏することができる。
又、上記本発明は、上記したように携帯電話装置，家庭・オフイス用電話装置の電話装置、エアコン，厨房器，インタ―ホン，パソコン，電卓，テレビ，ビデオ，ビデオカメラ，カメラ，カラオケ用マイクの家電製品、携帯ゲーム機、電動マッサージ機，電動ベッド，電動イスの電動寝具・家具等の機器及び上記機器を遠隔操作するリモコンやキー作動制御盤のうちの少なくともいずれか一方の本体に複数の切替操作部材からなる操作部を設けた場合について説明したが、上記パソコンが小型パソコンのキーボードの時にも有益であり、且つ又、上記機器以外の種種の機器の場合にも上記の作用効果を有し、例えば、厳冬期の船舶の作動操作や、港・漁港等の港湾での荷役設備、並びに食品・薬品等を保管する冷蔵・冷凍倉庫内の起重機，扉等の作動のための上記キー作動制御盤又はリモコンによる上記操作部の操作を容易に行なえるもので、上記実施形態と略同様の作用効果を奏することができるものである。
【００３１】
【発明の効果】
以上詳述したように、請求項１記載の本発明の切替操作部材の作動構造によれば、請求項１記載の本発明の切替操作部材の作動構造は、携帯電話の本体に配設され複数個の切替操作部材を有する操作部と、上記携帯電話の使用者の手に着脱される手袋に取付けられ上記複数個の切替操作部材を個別に接触させて作動させることができ、上記手袋の指部先端部に上記指の付根に向けて開口する馬蹄形状で形成され薄肉部又は硬質部で構成される作動手段を備えので、上記作動手段は上記手袋の上記切替操作部材に対応する上記手袋の指部先端部の部位を薄肉部又は硬質部を介して上記切替操作部材を感触により上記操作を効率よく上記操作を行なうことができ、通常使用時は違和感がなく便利である。
手の不自由な人，手袋を装着した手により上記の切替操作部材を上記作動手段で操作すれば、隣接の切替操作部材を同時に操作することや誤操作をすることが防止され、個別の切替操作部材を的確に操作することができる。
又、必要な時に上記着脱可能な切替操作部材を装着するようにすれば、日常の手袋使用状態に違和感がなく便利であり、又上記手袋に固定的に設けられる上記作動手段を備えた場合には上記切替操作部材の着脱の作業がなく便利である。
【００３２】
請求項２記載の本発明の切替操作部材の作動構造によれば、請求項１記載の構成において、上記作動手段の硬質部が凸状部で構成されているので、上記手袋を嵌めて上記携帯電話の操作が容易にできる。
請求項３記載の本発明の切替操作部材の作動構造によれば、請求項１又は２記載の構成において、上記指の長手方向の軸線に関して左右いずれか略半分の上記馬蹄形状の部位に形成される上記の薄肉部又は硬質部で構成されているので、上記作動手段が、左右いずれかの略半分の上記馬蹄形状の部位に形成される上記薄肉部又は硬質部で構成されているので、効果的的にキー６の操作を容易に行うことができる。
【００３６】
請求項４載の本発明の切替操作部材の操作構造によれば、請求項１〜３のいずれか１項の記載の構成において、上記切替操作部材を作動させる上記作動手段が上記の手又は手袋に着脱可能に構成され上記の手袋又は上記本体に取付けられているので、必要に応じて上記作動手段を上記の手袋又は上記本体から外して、上記の手又は手袋につければ、上記切替操作部材を確実にすばやく作動させることができる。
【００３８】
請求項５記載の本発明の切替操作部材の作動構造によれば、請求項１〜４のいずれか１項に記載の構成において、上記指が親指，人差し指，中指，薬指，小指のうちのいずれかの指であっても、効果的にキー６の操作を容易に行うことができる。
【図面の簡単な説明】
【図１】本発明の切替操作部材の作動構造を携帯電話装置に適用した場合の一実施形態を示すもので、上記携帯電話装置の内部構成を示すブロック図の概略説明図である。
【図２】図１の上記携帯電話装置の外観を示す概略説明図である。
【図３】図２の携帯電話装置に使用する作動具付手袋の外観図であり、（Ａ）は作動具付手袋の手の平側の正面図を示す概略説明図、（Ｂ）は図３（Ａ）の切替操作部材を示す拡大明図、（Ｃ）は図３（Ａ）の矢視３Ｃの拡大図を示す概略説明図である。
【図４】図３の手袋を装着して携帯電話装置を操作している状態を示す概略説明図である。
【図５】図３に示した切替操作部材の手袋への取付け状態を示すもので，（Ａ）は、左親指の表面の正面図を示す概略説明図，（Ｂ）は、図５（Ａ）の矢視５Ｂを側面図を示す概略説明図、（Ｃ）は変形例を示す図５（Ａ）と同様の状態を示す概略説明図である。
【図６】図４に示す切替操作部材の操作具を示すもので、（Ａ）はキャップ状に構成された切替操作部材の操作具の概略説明図、（Ｂ）は図５（Ａ）変形例を示すもので同図と同様の状態を示す概略説明図，（Ｃ）は切替操作部材をつめ型に形成した場合を示す概略説明図、（Ｄ）は図６（Ｃ）の切替操作部材の作動手段であるつめ部材の斜視図を示す概略説明である。
【符号の説明】
２            携帯電話装置
４            本体
６            切替操作部材（キー）
８            操作部
１０          入力部
１２          表示部
１４          音声出力部
１６          アンテナ
２０          送受信部
２２          制御部
２６          発信キー
２８          終了キー
３０          作動手段
４０          手袋
４０ｂ        雄ねじ部
４０ｃ        雌ねじ部
４０ｄ        頭部
４０ｓ        基盤
４２          凸状部
４２ａ        基部
４２ｂ        凸部
５１ａ        中央部
５１ｂ        略傾斜面部
５５          操作具
５５ａ        鎖（紐）
５７          取付手段（面ファスナ）
Ｆ１          親指
Ｆ２          人指し指
Ｆ３          中指
Ｆ４          薬指
Ｆ４          小指
Ｆｍ          外周縁
Ｐ            つめ部材
Ｔ            爪
【図１】
0003618664.tif 000002
【図２】
0003618664.tif 000003
【図３】
0003618664.tif 000004
【図４】
0003618664.tif 000005
【図５】
0003618664.tif 000006
【図６】
0003618664.tif 000007